(57)【要約】      （修正有）【課題】効率よくフジツボ類付着期幼生を検出できるフジツボ検出システムの提供。【解決手段】プランクトン濃縮装置２は、プランクトンを含む水を導入するための水導入口１２と、導入された水を濾過し、プランクトンを採取するためのネット１４と、採取側の裏側からネットに放水し、ネットに付着したプランクトンを洗い流すための噴水装置１６と、プランクトンを濾過した水と噴水装置から放出された水を排出するための水排出口２０と、洗い流されたプランクトンを集めて濃縮するための濃縮サンプル貯槽１７と、集めたプランクトンを排出するプランクトン排出口１８とを備え、フジツボ検出装置３は、プランクトンを含む水を収容する検出セル４０と、フジツボ幼生が発光するための励起光を照射するための励起光照射装置４２と、発光するフジツボ幼生を撮影するためのｃｃｄカメラ４４と、ｃｃｄカメラで撮影された画像を解析するためのデータ処理装置とを備える。【選択図】図１
2009244199.tif 000002
【特許請求の範囲】
【請求項１】
プランクトン濃縮装置及びフジツボ検出装置を備えた、フジツボ類付着期幼生の検出システムであって、
前記プランクトン濃縮装置は、
プランクトンを含む水を導入するための水導入口と、
導入された前記水を濾過し、プランクトンを採取するためのネットと、
前記プランクトンを採取する採取側の裏側からネットに放水し、前記ネットに付着した前記プランクトンを洗い流すための噴水装置と、
前記プランクトンを濾過した前記水と、前記噴水装置から放出された前記水を排出するための水排出口と、
洗い流された前記プランクトンを集めて濃縮するための濃縮サンプル貯槽と、
前記濃縮サンプル貯槽に集めた前記プランクトンを排出するプランクトン排出口と、
を備えた濃縮槽を備え、
前記容器内の空間が前記ネットで分割され、前記ネットの採取側の前記容器に前記水導入口及び前記プランクトン排出口が設けられ、前記ネットの裏側の前記容器に前記水排出口が設けられており、
前記フジツボ検出装置は、
前記プランクトン濃縮装置から導入されたプランクトンを含む水を収容する検出セルと、
前記検出セル内のフジツボ幼生が発光するための励起光を照射するための励起光照射装置と、
前記検出セル内で発光するフジツボ幼生を撮影するためのｃｃｄカメラと、
前記ｃｃｄカメラで撮影された画像を解析するためのデータ処理装置と、
を備えることを特徴とする検出システム。
【請求項２】
前記プランクトン濃縮装置は、前記水導入口、前記プランクトン排出口、水排出口、及び噴水装置の開閉を制御する電磁弁を備えることを特徴とする検出システム。
【請求項３】
前記プランクトン濃縮装置は、前記ネットの採取側の前記容器に、ネット洗浄液を排出するための洗浄液排出口を備えていることを特徴とする請求項１または２に記載の検出システム。
【請求項４】
前記プランクトン濃縮装置は、前記洗浄液排出口の開閉を制御する電磁弁を備えていることを特徴とする請求項３に記載の検出システム。
【請求項５】
前記プランクトン濃縮装置は、温度計、pHメーター、電気伝導度測定装置、または溶存酸素量測定装置を備えていることを特徴とする請求項１〜４のいずれかに記載の検出システム。
【請求項６】
前記プランクトン濃縮装置は、前記プランクトン排出口から排出された前記プランクトンを麻酔する麻酔糟を備えることを特徴とする請求項１〜５のいずれかに記載の検出システム。
【請求項７】
前記フジツボ検出装置は、前記プランクトン濃縮装置からプランクトンを含む水を導入するための導入ポンプを備えることを特徴とする請求項１〜６のいずれかに記載の検出システム。
【請求項８】
前記フジツボ検出装置は、前記検出セルを洗浄するための洗浄剤タンクを備えることを特徴とする請求項１〜７のいずれかに記載の検出システム。
【請求項９】
前記プランクトン濃縮装置の有する、前記水導入口、前記水排出口、前記プランクトン排出口、及び噴水装置、並びに前記フジツボ検出装置の有する前記導入ポンプの少なくとも一つを調節する制御装置を備えることを特徴とする請求項１〜８のいずれかに記載の検出システム。
【請求項１０】
請求項１に記載の検出システムの使用方法であって、
前記水導入口よりプランクトンを含む水を導入する工程と、
前記ネットで導入された前記水を濾過し、プランクトンを採取する工程と、
前記噴水装置で前記プランクトンを採取する採取側の裏側からネットに放水し、前記ネットに付着した前記プランクトンを洗い流す工程と、
前記水排出口より、前記プランクトンを濾過した前記水と、前記噴水装置から放出された前記水を排出する工程と、
洗い流された前記プランクトンを、前記濃縮サンプル貯槽に集めて濃縮する工程と、
前記濃縮サンプル貯槽に集めた前記プランクトンを、前記プランクトン排出口より排出する工程と、
前記プランクトン濃縮装置から排出されたプランクトンを含む水を、前記検出セルに導入する工程と、
前記励起光照射装置によって、前記検出セル内のフジツボ幼生が発光するための励起光を前記検出セルに照射する工程と、
前記ｃｃｄカメラで、前記検出セル内で発光するフジツボ幼生を撮影する工程と、
前記データ処理装置で、前記ｃｃｄカメラで撮影された画像を解析する工程と、
を含むことを特徴とする検出方法。
【請求項１１】
前記プランクトン濃縮装置は、前記プランクトン排出口から排出された前記プランクトンを麻酔する麻酔糟を備え、
前記プランクトン濃縮装置から排出されたプランクトンを、前記検出セルに導入する前に、前記麻酔槽で前記プランクトンを麻酔することを特徴とする請求項１１に記載の検出方法。
【請求項１２】
請求項１に記載の検出システムを自動運転させる制御プログラムであって、コンピュータに、
前記水導入口よりプランクトンを含む水を導入するステップと、
前記ネットで導入された前記水を濾過し、プランクトンを採取するステップと、
前記噴水装置で前記プランクトンを採取する採取側の裏側からネットに放水し、前記ネットに付着した前記プランクトンを洗い流すステップと、
前記水排出口より、前記プランクトンを濾過した前記水と、前記噴水装置から放出された前記水を排出するステップと、
洗い流された前記プランクトンを、前記濃縮サンプル貯槽に集めて濃縮するステップと、
前記濃縮サンプル貯槽に集めた前記プランクトンを前記プランクトン排出口より排出するステップと、
前記プランクトン濃縮装置から排出されたプランクトンを含む水を、前記検出セルに導入するステップと、
前記励起光照射装置によって、前記検出セル内のフジツボ幼生が発光するための励起光を前記検出セルに照射するステップと、
前記ｃｃｄカメラで、前記検出セル内で発光するフジツボ幼生を撮影するステップと、
前記データ処理装置で、前記ｃｃｄカメラで撮影された画像を解析するステップと、
を実行させる制御プログラム。
【請求項１３】
前記プランクトン濃縮装置は、前記プランクトン排出口から排出された前記プランクトンを麻酔する麻酔糟を備え、
前記コンピュータに、さらに
前記プランクトン濃縮装置から排出されたプランクトンを、前記検出セルに導入する前に、前記麻酔槽で前記プランクトンを麻酔するステップを実行させる請求項１２に記載の制御プログラム。
【請求項１４】
請求項１２または１３に記載のプログラムを、コンピュータによって読み取り可能に格納した記憶媒体。
【発明の詳細な説明】
【技術分野】
【０００１】
本発明は、フジツボ類付着期幼生の検出システムに関する。
【背景技術】
【０００２】
フジツボ類は、様々な海洋構造物や船底、発電所などの海水取水施設の熱交換器や復水器などの配水管内に大量に付着することにより、流体抵抗増加、船速低下・燃費増大、取水ポンプ負荷の増大、冷却効率低下、細管閉塞等の様々な被害を及ぼす場合がある。このように、フジツボ類は海水利用プラントにおける防除対象種であるのだが、多くの種類が生息しているにも関わらず、プラントに流入する幼生段階での種判別が困難であった。最近、励起光照射によって陽性が示す蛍光分布パターンにより、簡便に種の識別ができる方法が開発された（特許文献１参照）が、手作業の部分が多く、実用的ではなかった。
【特許文献１】特開２００４−１２４６７
【発明の開示】
【発明が解決しようとする課題】
【０００３】
そこで、本発明は、効率よくフジツボ類付着期幼生を検出することができる検出システムを提供することを目的としてなされた。
【課題を解決するための手段】
【０００４】
本発明にかかる検出システムは、プランクトン濃縮装置及びフジツボ検出装置を備えた、フジツボ類付着期幼生の検出システムであって、前記プランクトン濃縮装置は、プランクトンを含む水を導入するための水導入口と、導入された前記水を濾過し、プランクトンを採取するためのネットと、前記プランクトンを採取する採取側の裏側からネットに放水し、前記ネットに付着した前記プランクトンを洗い流すための噴水装置と、前記プランクトンを濾過した前記水と、前記噴水装置から放出された前記水を排出するための水排出口と、洗い流された前記プランクトンを集めて濃縮するための濃縮サンプル貯槽と、前記濃縮サンプル貯槽に集めた前記プランクトンを排出するプランクトン排出口と、を備えた濃縮槽を備え、前記容器内の空間が前記ネットで分割され、前記ネットの採取側の前記容器に前記水導入口及び前記プランクトン排出口が設けられ、前記ネットの裏側の前記容器に前記水排出口が設けられており、前記フジツボ検出装置は、前記プランクトン濃縮装置から導入されたプランクトンを含む水を収容する検出セルと、前記検出セル内のフジツボ幼生が発光するための励起光を照射するための励起光照射装置と、前記検出セル内で発光するフジツボ幼生を撮影するためのｃｃｄカメラと、前記ｃｃｄカメラで撮影された画像を解析するためのデータ処理装置と、を備える。前記プランクトン濃縮装置は、前記水導入口、前記プランクトン排出口、水排出口、噴水装置、前記洗浄液排出口の開閉を制御する電磁弁を備えてもよい。前記プランクトン濃縮装置は、前記ネットの採取側の前記容器に、ネット洗浄液を排出するための洗浄液排出口を備えてもよい。前記プランクトン濃縮装置は、温度計、pHメーター、電気伝導度測定装置、または溶存酸素量測定装置を備えていてもよい。前記プランクトン濃縮装置は、前記プランクトン排出口から排出された前記プランクトンを麻酔する麻酔糟を備えてもよい。前記フジツボ検出装置は、前記プランクトン濃縮装置からプランクトンを含む水を導入するための導入ポンプを備えてもよい。前記フジツボ検出装置は、前記検出セルを洗浄するための洗浄剤タンクを備えてもよい。前記プランクトン濃縮装置の有する、前記水導入口、前記水排出口、前記プランクトン排出口、及び噴水装置、並びに前記フジツボ検出装置の有する前記導入ポンプの少なくとも一つを調節する制御装置を備えてもよい。
【０００５】
本発明にかかる上記検出システムの使用方法は、前記水導入口よりプランクトンを含む水を導入する工程と、前記ネットで導入された前記水を濾過し、プランクトンを採取する工程と、前記噴水装置で前記プランクトンを採取する採取側の裏側からネットに放水し、前記ネットに付着した前記プランクトンを洗い流す工程と、前記水排出口より、前記プランクトンを濾過した前記水と、前記噴水装置から放出された前記水を排出する工程と、洗い流された前記プランクトンを前記濃縮サンプル貯槽に集めて濃縮する工程と、前記濃縮サンプル貯槽に集めた前記プランクトンを前記プランクトン排出口より排出する工程と、前記プランクトン濃縮装置から排出されたプランクトンを含む水を、前記検出セルに導入する工程と、前記励起光照射装置によって、前記検出セル内のフジツボ幼生が発光するための励起光を前記検出セルに照射する工程と、前記ｃｃｄカメラで、前記検出セル内で発光するフジツボ幼生を撮影する工程と、前記データ処理装置で、前記ｃｃｄカメラで撮影された画像を解析する工程と、を含む。
【０００６】
前記プランクトン濃縮装置は、前記プランクトン排出口から排出された前記プランクトンを麻酔する麻酔糟を備え、前記プランクトン濃縮装置から排出されたプランクトンを、前記検出セルに導入する前に、前記麻酔槽で前記プランクトンを麻酔してもよい。
【０００７】
さらに、本発明の制御プログラムは、上記検出システムを自動運転させる制御プログラムであって、コンピュータに、前記水導入口よりプランクトンを含む水を導入するステップと、前記ネットで導入された前記水を濾過し、プランクトンを採取するステップと、前記噴水装置で前記プランクトンを採取する採取側の裏側からネットに放水し、前記ネットに付着した前記プランクトンを洗い流すステップと、前記水排出口より、前記プランクトンを濾過した前記水と、前記噴水装置から放出された前記水を排出するステップと、洗い流された前記プランクトンを、前記濃縮サンプル貯槽に集めて濃縮するステップと、前記濃縮サンプル貯槽に集めた前記プランクトンを、前記プランクトン排出口より排出するステップと、前記プランクトン濃縮装置から排出されたプランクトンを含む水を、前記検出セルに導入するステップと、前記励起光照射装置によって、前記検出セル内のフジツボ幼生が発光するための励起光を前記検出セルに照射するステップと、前記ｃｃｄカメラで、前記検出セル内で発光するフジツボ幼生を撮影するステップと、前記データ処理装置で、前記ｃｃｄカメラで撮影された画像を解析するステップと、を実行させる。
【０００８】
前記プランクトン濃縮装置は、前記プランクトン排出口から排出された前記プランクトンを麻酔する麻酔糟を備え、前記コンピュータに、さらに前記プランクトン濃縮装置から排出されたプランクトンを、前記検出セルに導入する前に、前記麻酔槽で前記プランクトンを麻酔するステップを実行させてもよい。このプログラムを、コンピュータによって読み取り可能に格納した記憶媒体も、本発明の技術的範囲に属する。
【発明の効果】
【０００９】
本発明によって、効率よくフジツボ類付着期幼生を検出することができる検出システムを提供することが可能になった。
【発明を実施するための最良の形態】
【００１０】
以下、図面を用いて、本発明にかかるフジツボ類付着期幼生の検出システムを詳細に説明する。なお、本発明の目的、特徴、利点、及びそのアイデアは、本明細書の記載により、当業者には明らかであり、本明細書の記載から、当業者であれば、容易に本発明を再現できる。以下に記載された発明の実施の形態及び具体的な実施例などは、本発明の好ましい実施態様を示すものであり、例示又は説明のために示されているのであって、本発明をそれらに限定するものではない。本明細書で開示されている本発明の意図並びに範囲内で、本明細書の記載に基づき、様々な改変並びに修飾ができることは、当業者にとって明らかである。
【００１１】
＝＝フジツボ類付着期幼生の検出システム＝＝
本発明にかかるフジツボ類付着期幼生の検出システムは、プランクトン濃縮装置及びフジツボ検出装置を備える。まず、解析しやすいように、プランクトン濃縮装置を用いて、汲み上げた海水からプランクトンを濃縮して、少量の水に多数のプランクトンが入っているサンプルを作製し、そのサンプルをフジツボ検出装置に供給し、そこで、フジツボ類の付着期幼生を検出する。
【００１２】
なお、フジツボ類の付着期幼生は、キプリス幼生とも呼ばれ、明確に種を識別可能なパターンを有する特異的な蛍光を発し、しかもそのような蛍光部位や発光形状のパターンに個体差が少ないため、フジツボ類の付着期幼生を検出するにあたり、識別標識として充分に活用できる。すなわち、フジツボ類以外の殆どの生物に蛍光発光が発生しないか、極微弱に過ぎなくなるので、他のプランクトンの発するノイズ的な蛍光を排除して、フジツボ類の種の区別を確実に行なえる。
【００１３】
また、後述するように、発光の強弱の区別、発光部位としてキプリス幼生の頭部、後部または体全体の区別、また発光単位として斑点状またはそれより小さな細粒状、粒のない体全体の発光などのパターンが区別され、これらの特徴の組み合わせによって種の識別ができる。特に、フジツボ類が、タテジマフジツボ、アメリカフジツボ、アカフジツボ、サンカクフジツボ、オオアカフジツボ、サラサフジツボ、イワフジツボ、シロスジフジツボまたはヨーロッパフジツボである場合には、より確実に種を判定することができる。
【００１４】
＝＝プランクトン濃縮装置の基本構成＝＝
本発明にかかる検出装置１の有するプランクトン濃縮装置２として、図１に示した装置を例として説明する。このプランクトン濃縮装置２は、プランクトンを濃縮するための濃縮槽１０を備え、その濃縮槽１０は、水導入口１２と、ネット１４と、噴水装置１６と、濃縮サンプル貯槽１７と、プランクトン排出口１８と、水排出口２０と、洗浄液排出口２６、麻酔槽２７、麻酔溶液タンク２８を備えている。この濃縮槽内の空間は、ネット１４で分割され、ネット１４の採取側３０の濃縮槽１０に水導入口１２、濃縮サンプル貯槽１７、プランクトン排出口１８、及び洗浄液排出口２６が設けられ、ネット１４の裏側３２の濃縮槽１０に水排出口２０が設けられている。以下、各構成要素を説明する。
【００１５】
水導入口１２は、プランクトンを含む水を導入するために設けられている。導入される水は、淡水、海水、湖水など、特に限定されないが、ゴミ等を除去するために、あらかじめ、プランクトンをかろうじて通すくらいのフィルター（図示せず）で濾過しておくのが好ましく、このようなフィルターを、水導入口１２に設けてもよい。また、水を容易に導入できるよう、ポンプを設けるのが好ましい。この水導入口１２は、複数設けても構わない。
【００１６】
ネット１４は、水導入口１２から導入された水を濾過し、プランクトンを採取するために設けられ、濃縮槽１０内の空間を、プランクトンを採取する採取側３０と、その裏側３２の二つに分ける。ネット１４でプランクトンを濾過することにより、採取側３０で、プランクトンを採取し、裏側３２で、プランクトンが濾過された水を排出するためである。このネット１４は、水導入口１２から導入される、プランクトンを含む水を、全部通過させられるような構成にしておくのが好ましい。それにより、効率よく、プランクトンを採取することができる。
【００１７】
噴水装置１６は、ネット１４の裏側３２の濃縮槽に設けられ、ネット１４の裏側３２からネット１４に放水し、ネット１４に付着したプランクトンを洗い流すことができれば、どのような装置でもよい。例えば、効率よく洗浄するために、水を噴霧するヘッドが回転できるようになっているような装置が好ましいが、特に限定されることはない。
【００１８】
濃縮サンプル貯槽１７は、ネット１４の洗浄側３０の濃縮槽１０に設けられ、噴水装置１６から放水される水によって洗い流されたプランクトンを、集めて濃縮するための貯槽であるが、その形態は特に限定されない。例えば、濃縮サンプル貯槽１７の上部に取り外し可能な網を設け、その網を回収したり、網を洗浄したりすることにより、プランクトンを回収してもよい。
【００１９】
プランクトン排出口１８は、ネット１４の洗浄側３０の濃縮槽１０に設けられ、濃縮サンプル貯槽１７にプランクトンが濃縮された水を、効率よく排出できれば、構成は特に限定されない。
【００２０】
水排出口２０は、ネット１４の裏側３２の濃縮槽に設けられ、そこから、プランクトンが濾過された水や噴水装置１６から放出され水が排出される。水排出口２０も、複数設けても構わない。
【００２１】
麻酔槽２７は、プランクトン排出口１８から排出されるプランクトンの濃縮液を貯蔵し、プランクトンに麻酔をかけるために設けられる。この麻酔槽２７に、麻酔薬を供給する麻酔溶液タンク２８が、麻酔薬供給管２９によって連結して設けられてもよい。また、後述するように、麻酔槽２７はプランクトン濃縮装置１０と管などで連結されるのが好ましい。
【００２２】
＝＝プランクトン濃縮装置の他の構成＝＝
濃縮槽１０の一部をガラスやアクリル等で作製し、そこで光の透過度を測定することにより、プランクトン濃度の目安が得られる。その数値により、水導入口１２から、プランクトンを含む水を導入するかどうかを決めることができる。
【００２３】
洗浄液排出口２６は、ネット１４の採取側３０の濃縮槽１０に、ネット洗浄液を排出するために設けられる。しかし、洗浄液排出口２６を設けず、プランクトン排出口１８を、洗浄液排出に用いてもよい。その時は、洗浄液を排出するための大容量の洗浄液受濃縮槽（図示せず）を設け、サンプル瓶２６のかわりに洗浄液を受けるようにする。
【００２４】
プランクトン排出口１８、水排出口２０、洗浄液排出口２６、麻酔薬供給管２９、麻酔槽２７出口（検出セル４０に繋がる）には、電磁弁を設け、その水の出入りが調節できるように構成されているのが好ましい。
【００２５】
麻酔槽２７の代わりに、サンプル採取装置（図示せず）を設け、プランクトン排出口１８から排出されるプランクトンの濃縮液をサンプル瓶（図示せず）にサンプリングしてもよい。例えば、フラクション・コレクターのように、一定時間ごとに、自動で新しい試料採取濃縮槽を供給する装置でもよく、サンプルを麻酔する必要があるとき等、サンプル瓶には、あらかじめ塩化マグネシウム等の麻酔液を入れておいてもよい。
【００２６】
これらの装置以外にも、例えば、時計、温度計、pHメーター、電気伝導度測定装置、溶存酸素量測定装置、クロロフィルａ濃度測定装置等、各所の水の水質などを測定できる装置を設けてもよい。
【００２７】
＝＝フジツボ検出装置の基本構成＝＝
本発明にかかる検出装置１の有するフジツボ検出装置３として、図１に示した装置を例として説明する。
【００２８】
このフジツボ検出装置３は、検出セル４０、励起光照射装置４２、ｃｃｄカメラ４４、データ処理装置４６、洗浄液タンク４８、４９、等を備える。以下、各構成要素を説明する。
【００２９】
検出セル４０は、プランクトン濃縮装置１０と管などで連結されてもよく、麻酔槽２７から排出された、プランクトンが濃縮された水が導入されて、その水中のフジツボが検出される。その形態や素材は限定されないが、励起光照射装置４２から照射される励起光や、フジツボが放射する蛍光を通過させる透明な素材であればよい。具体的には、フジツボ類の付着期幼生に対して励起光照射装置４２から照射される励起光の波長の好ましい範囲は４００〜４４０ｎｍであり、発光する蛍光の受容波長の好ましい範囲は４７５ｎｍ以上であるため、セルの素材には、例えばガラス、石英などが利用できる。
【００３０】
ｃｃｄカメラ４４は、落射蛍光実体顕微鏡などに取り付けられ、フジツボが放射した蛍光を、所定の吸収フィルターを介して撮影・記録する。このカメラはビデオカメラであっても構わない。
【００３１】
データ処理装置４６は、ｃｃｄカメラ４４の得たデジタル画像情報を解析し、フジツボが放射した蛍光のパターンから、フジツボの種を同定する。この処理装置は、プランクトン濃縮装置における水質の解析等、フジツボの種の解析以外の用途に転用されても構わない。
【００３２】
洗浄液タンク４８、４９は、検出セル４０を洗浄するための洗浄液を貯蔵するタンクであり、複数設けられてもよい。例えば、一つ目のタンク４８に塩酸や洗剤を入れ、二つ目のタンク４９に水道水をいれることにより、一つ目のタンクからの塩酸や洗剤で検出セル４０を洗浄したあと、二つ目のタンクからの水によって残存した塩酸や洗剤を洗い流すことができる。
【００３３】
＝＝フジツボ検出方法＝＝
以上のように構成されている検出システムを用いたフジツボ類幼生の検出方法の一例を以下に説明する。
【００３４】
まず、ポンプ等で汲み上げられた海水等をプランクトン濃縮装置２に供給する。プランクトン排出口１８、水排出口２０、及び洗浄液排出口２６の弁を閉じ、水導入口１２に設けたポンプを用いて、プランクトンが含まれた水を濃縮槽に導入する。濃縮槽１０が、導入した水で満たされたとき、水排出口２０を開け、濃縮槽１０内の水を排出すると、水量が減りつつ、水がネットで濾過され、プランクトンがネット１４に補集される。濃縮槽１０に所定量の水が供給された時点で、水導入口１２からの水の導入を止める。
【００３５】
濃縮槽１０内の水をほとんど排出した時、噴水装置１６から水をネットに向かって噴霧し、ネットに捕集されたプランクトンを洗い流す。プランクトンはネットに沿って落ちて行き、濃縮サンプル貯槽１７に貯まるが、一方、噴霧された水は、網を通り抜け、ネット１４の裏側３２に落ちてきて、水排出口２０から排出される。こうして、濃縮サンプル貯槽１７の中に、プランクトンが濃縮されて溜まる。このネット１４の洗浄工程は、ネット１４の目詰まりを防ぐことができ、さらなる水を濃縮槽１０に流すことができるので、プランクトンの濃縮率も高くすることができるという利点がある。
【００３６】
その後、プランクトン排出口１８の弁を開け、プランクトンが濃縮された水を、麻酔槽２７に排出する。
【００３７】
プランクトンの採取が終わると、プランクトン排出口１８の弁を閉じ、洗浄液排出口２６の弁を開ける。噴水装置１６から水をネットに向かって噴霧し、ネットに残存するプランクトンやゴミ等を洗い流す。この逆洗により、ネット１４の目詰まりを防止することができる。濃縮槽１０内がきれいになったところで噴霧を止め、水が出切ると全ての弁を閉じる。
【００３８】
一方、プランクトンが集められた麻酔槽２７に、麻酔液供給タンク２８から塩化マグネシウムなどの麻酔液が供給され、麻酔槽２７中のプランクトンが一定時間処理されると、プランクトンの遊泳が止まる。その後、麻酔槽２７出口の弁を開き、プランクトンをフジツボ検出装置３の検出セル４０に供給する。その際、プランクトン濃縮装置からプランクトンを含む水を導入するための導入ポンプとして定量ポンプ４８を用いるのが好ましい。なお、麻酔槽２７で、動かなくなったプランクトンは、水に沈む可能性があるので、検出セル４０への移動前あるいは移動中でも、麻酔槽２７の溶液を撹拌するのが好ましい。
【００３９】
こうして、フジツボ検出装置３の検出セル４０にプランクトンが供給されると、例えば、励起光照射装置４２やｃｃｄカメラ４４を備えた落射蛍光実体顕微鏡を用いて、デジタル画像が記録される。即ち、励起光照射装置４２によって波長４００〜４４０ｎｍの励起光が放射され、波長４７５ｎｍ以上で発光する蛍光がｃｃｄカメラ４４で検出され、記録される。このようにしてｃｃｄカメラ４４の得たデジタル画像情報は、データ処理装置４６に送信され、フジツボが放射した蛍光のパターンから、以下のようにフジツボの種が同定される。
【００４０】
発光した蛍光分布パターンの情報は、コンピュータに予め登録していた種固有の蛍光分布パターン認識情報と比較される。実際に得られる特徴的な蛍光分布パターンは、以下の図２〜４に示す通りである。  
（ａ）タテジマフジツボ幼生：図２（ａ）に示すように幼生頭部及び後部が斑点状に強く発光する。  
（ｂ）アメリカフジツボ幼生：図２（ｂ）に示すように頭部及び後端が広範囲に強く発光する。  
（ｃ）サンカクフジツボ幼生：図２（ｃ）に示すように体部全体が発光し、さらに頭部が微細粒状に発光する。  
（ｄ）アカフジツボ幼生：図２（ｄ）に示すように体部全体が発光する。  
（ｅ）オオアカフジツボ幼生：図３（ａ）に示すように体部全体が弱く発光すると共に体下縁部が斑状に発光する。  
（ｆ）サラサフジツボ幼生：図３（ｂ）に示すように頭部及び尾部が網目状に強く発光する。  
（ｇ）イワフジツボ幼生：図４（ａ）に示すように体部前方全体が塊状に発光する。  
（ｈ）シロスジフジツボ幼生：図４（ｂ）に示すように体部前縁および後縁が縁取り状に発光する。  
（ｉ）ヨーロッパフジツボ幼生：図４（ｃ）に示すように体部前縁および後端にある小さい楕円盤が発光する。
【００４１】
以上の種固有の蛍光分布パターンに関する認識情報を予めコンピュータに登録しておくことによって、被検海水中に存在する蛍光分布パターンがマッチングしたフジツボ類の種とその種の単位海水容積当りの個体数を求めることができる。
【００４２】
ｃｃｄカメラ４４による解析が終わると、麻酔槽２７の出口弁を閉じ、塩酸タンク４８から検出セル４０に繋がる管の弁を開放し、導入ポンプとして定量ポンプ５０を駆動させたまま、塩酸タンク４８から検出セル４０に塩酸を導入する。塩酸タンク４８からの弁を閉じ、定量ポンプ５０を止めて所定時間後、水道水タンク４９から検出セル４０に繋がる管の弁を開放し、同様に定量ポンプ５０を駆動させたまま、水道水タンク４９から検出セル４０に水道水を導入し、塩酸を押し流すとともに、検出セルを洗浄する。所定時間後、水道水タンク４９からの弁を閉じ、検出セル４０を空にした後、定量ポンプ５０を停止させる。
【００４３】
＝＝自動フジツボ検出システム＝＝
以上のフジツボ検出システム、特に各種ポンプや各種弁などが、制御装置であるコンピュータによって制御されていれば、プランクトンを採取する海水の採取から、フジツボの検出・計数や、その水質の検査まで自動化できるという点で好ましい。そこで、上記フジツボ検出方法の実行を制御するコンピュータをフジツボ検出システムに導入し、自動フジツボ検出システムとする。このように、検出システムを自動化することにより、リアルタイムでフジツボ類付着期幼生の検出ができ、２４時間の流入状況を把握することができる。
【００４４】
また、このコンピュータは、サンプル採取装置２４を制御してサンプリングを調節する等、このプランクトン濃縮システムの他の装置を調節しても構わない。
【００４５】
なお、コンピュータに、自動フジツボ検出方法を行なわせるプログラム、及びそのプログラムを格納した記憶媒体も、本発明の技術的範囲に属する。
【図面の簡単な説明】
【００４６】
【図１】本発明による一実施の形態のフジツボ検出システムの全体像を示す模式図である。
【図２】本発明の一実施の形態において、（ａ）励起光照射によるタテジマフジツボのキプリス幼生の単光発光パターンを示す模式図、（ｂ）励起光照射によるアメリカフジツボのキプリス幼生の蛍光発光パターンを示す模式図、（ｃ）励起光照射によるサンカクフジツボのキプリス幼生の蛍光発光パターンを示す模式図、（ｄ）励起光照射によるアカフジツボのキプリス幼生の蛍光発光パターンを示す模式図である。
【図３】本発明の一実施の形態において、（ａ）励起光照射によるオオアカフジツボのキプリス幼生の蛍光発光パターンを示す模式図（ｂ）励起光照射によるサラサフジツボのキプリス幼生の蛍光発光パターンを示す模式図である。
【図４】本発明の一実施の形態において、（ａ）励起光照射によるイワフジツボのキプリス幼生の蛍光発光パターンを示す模式図（ｂ）励起光照射によるシロスジフジツボのキプリス幼生の蛍光発光パターンを示す模式図（ｃ）励起光照射によるヨーロッパフジツボのキプリス幼生の蛍光発光パターンを示す模式図である。
【符号の説明】
【００４７】
１    検出システム
２    プランクトン濃縮装置
３    フジツボ検出装置
１０  濃縮槽
１２  水導入口
１４  ネット
１６  噴水装置
１７  濃縮サンプル貯槽
１８  プランクトン排出口
２０  水排出口
２６  洗浄水排出口
２７  麻酔槽
２８  麻酔溶液タンク
３０  採取側（濃縮槽）
３２  裏側（濃縮槽）
４０  検出セル
４２  励起光照射装置
４４  ｃｃｄカメラ
４６  データ処理装置
４８  洗浄液タンク
４９  洗浄液タンク
５０  定量ポンプ
【図１】
2009244199.tif 000003
【図２】
2009244199.tif 000004
【図３】
2009244199.tif 000005
【図４】
2009244199.tif 000006